(57)【要約】【課題】物質が噴射ガスにより生じるベンチュリ効果により得られる吸引力によって吹き掛けられる自蔵式携帯器具において、長期間にわたって物質が攪拌されず、或いは物質が使用時に適当に攪拌されるに過ぎない場合でも詰まる恐れを生じさせないで、比較的高い割合の固体粒子を含む物質に使用できる器具の提供。【解決手段】本発明は、角質支持体、特に、皮膚上に化粧品を吹き掛ける単一ユニット型自蔵式器具に関し、この器具は、吹き掛けられるべき製品のリザーバと、ガス入り容器と、弁とを有し、弁は、これを作動させると、製品を吹き掛けることができ、製品は、固体粒子及び少なくとも分散助剤又はゼリー状化材を含有している。【選択図】図１
2006314832.tif 000002
【特許請求の範囲】
【請求項１】
角質媒体、特に皮膚に化粧用物質を吹き掛ける一体構造の自蔵式器具（１；１０１；２０１；１１００）であって、器具は、吹き掛けられるべき物質の供給源と、ガス入り容器と、弁とを有し、弁を作動させると物質を吹き掛けることができ、物質は、固体粒子及び少なくとも１種類の分散助剤又はゼリー状化剤を含有していることを特徴とする器具。
【請求項２】
分散助剤又はゼリー状化剤は、周囲温度状態ではこれを含有している媒体中で結晶化することがないように選択されていることを特徴とする請求項１記載の器具。
【請求項３】
分散助剤又はゼリー状化剤は、次に列記する薬剤、即ちワックス、特に、炭化水素ワックス又はシリコーンワックス（アルキル又はアルコキシジメチコン）、セライド（cerides）及びステライド（sterides）又はグリセロホスホコリン及び脂肪酸エステル、例えばホスホリピドを含む脂肪酸及び脂肪アルコールエステル、並びにアミノ酸及び脂肪酸、特にセラミド（ceramides）から成る薬剤には含まれない薬剤から選択されていることを特徴とする請求項２記載の器具。
【請求項４】
物質の固体粒子含有量は、３重量％以上、好ましくは、５重量％〜７０重量％、好ましくは、２０重量％〜７０重量％、特に物質がファンデーションメーキャップである場合、より好ましくは３０重量％〜６０重量％であり、分散助剤又はゼリー状化剤の含有量は、０．０１重量％〜１０重量％であり、好ましくは、０．１重量％以上であることを特徴とする請求項１〜３のうち何れか一に記載の器具。
【請求項５】
物質は、顔料を含有していることを特徴とする請求項１〜４のうち何れか一に記載の器具。
【請求項６】
顔料は、鉄、チタン及び酸化亜鉛、有機ワニス、無機真珠箔剤、特に、マイカ、チタン又はチタン−マイカ及びこれらの混合物から選択されていることを特徴とする請求項５に記載の器具。
【請求項７】
物質は、有機粉末、特に、ポリアミドの粒子、ポリアクリレートの粒子、メチルメタクリレートの粒子、ポリウレタンの粒子、ポリエチレンの粒子、架橋ポリスチレンの粒子、及びこれらの混合物、鉱物を原料とする粉末、例えばタルク、クレー、シリカ、窒化硼素及びこれらの混合物の粉末、植物を原料とする粉末、例えばスターチの粉末、動物を原料とする粉末、例えば貝殻の粉末、メチルセスキオクサン樹脂のビードの形態をしたシリコーン、フッ素含有粉末、例えばＰＴＦＥ粉末及びこれらの混合物から成る群から選択された粒子を含有していることを特徴とする請求項１〜６のうち何れか一に記載の器具。
【請求項８】
粒子は、マイクロメートルサイズ（個々の粒度）のものであることを特徴とする請求項１〜７のうち何れか一に記載の器具。
【請求項９】
粒子は、ナノメートルサイズのものであることを特徴とする請求項１〜７のうち何れか一に記載の器具。
【請求項１０】
用いられる分散助剤及び（又は）ゼリー状化剤は、親水性であることを特徴とする請求項１〜９のうち何れか一に記載の器具。
【請求項１１】
用いられる分散助剤及び（又は）ゼリー状化剤は、親油性であることを特徴とする請求項１〜９のうち何れか一に記載の器具。
【請求項１２】
物質は、ポリマー性の親水性ゼリー状化剤、例えば多糖系のゼリー状化剤、特に、キサンタンガム、ゲラン（gellan）ガム、クアール（quar）ラム及びこれらの誘導体、セルロース及びその誘導体、ビニール系、カルボキシビニル系、アクリル系、ポリウレタンのゼリー状化剤、非ポリマー性の鉱物系ゼリー状化剤、例えばクレー、特に、ビーガム（Veegum：登録商標）、任意的に改質されたベントン（Bentone：登録商標）及び親水性シリカ並びにこれの混合物から選択された少なくとも１種類の親水性ゼリー状化剤を含有していることを特徴とする請求項１０記載の器具。
【請求項１３】
物質は、ポリマー系ゼリー状化剤又は「オルガノゼリー状化（organo-jelling）」型のゼリー状化剤、線状シリコーンポリマー又は架橋シリコーンポリマー及びこれらの誘導体、シリコンから誘導されたポリマー、アクリル系シリコーン、ポリアミド系重縮合物、疎水性鎖を有する多糖、ポリウレタン、及びこれらの混合物から成る群から選択された親油性ゼリー状化剤を含有していることを特徴とする請求項１１記載の器具。
【請求項１４】
物質は、オイルをゼリー化するために有機基によって任意的に改質された無機ゼリー状化剤を含有していることを特徴とする請求項１〜１３のうち何れか一に記載の器具。
【請求項１５】
物質は、少なくとも１種類の分散助剤及び少なくとも１種類のゼリー状化剤を含有していることを特徴とする請求項１０又は１１記載の器具。
【請求項１６】
物質は、少なくとも１種類の陰イオン系充填剤を有する分散助剤、特に、カルボキシル基を持つ分散助剤、スルホネート、アクリル酸のターポリマー、ポリアスパルテート、マレイン酸の誘導体及びこれらの混合物から成る群から選択された少なくとも１種類の親水性分散助剤を含有していることを特徴とする請求項１５記載の器具。
【請求項１７】
物質は、カルボキシレート、アクリル樹脂、環を持つ炭化水素、特に、スチレン、スクシンイミド系の炭化水素から成る群から選択された少なくとも１種類の親油性分散助剤を含有していることを特徴とする請求項１〜１６のうち何れか一に記載の器具。
【請求項１８】
物質は、少なくとも１カ月を超える期間にわたって使用されないとき、物質を器具内の周囲温度で保存することができるのに十分に密閉された容器内に入れられていることを特徴とする請求項１〜１７のうち何れか一に記載の器具。
【請求項１９】
物質の粘度は、２０センチポアズ〜５００センチポアズであることを特徴とする請求項１〜１８のうち何れか一に記載の器具。
【請求項２０】
物質は、親水性又は親油性活性剤、例えばＵＶ遮断剤（フィルタ）及び保湿剤、ケアオイル、酸化防止剤、保存剤及び消泡剤を含有していることを特徴とする請求項１〜１９のうち何れか一に記載の器具。
【請求項２１】
物質は、着脱自在なカートリッジ内に入れられていることを特徴とする請求項１〜２０のうち何れか一に記載の器具。
【請求項２２】
物質は、着脱不能な容器内に入れられていることを特徴とする請求項１〜２０のうち何れか一に記載の器具。
【請求項２３】
物質中に浸漬している管を更に有していることを特徴とする請求項１〜２２のうち何れか一に記載の器具。
【請求項２４】
物質は、ガスを収容している容器とは異なる容器内に入れられていることを特徴とする請求項１〜２３のうち何れか一に記載の器具。
【請求項２５】
物質は、ガスを収容している容器内部に配置された可撓性袋内に入れられていることを特徴とする請求項１〜１１のうち何れか一に記載の器具。
【請求項２６】
弁は、少なくとも３つの位置、即ち、休止位置、物質とガスの混合物を小出しすることができる位置及びガスをそれ自体で小出しできるようにする位置を有していることを特徴とする請求項１〜２５のうち何れか一に記載の器具。
【請求項２７】
少なくとも１つの物質供給ダクト（２２）及び少なくとも１つ、好ましくは２つのガス供給ダクト（２１）を有し、ダクトは、供給ダクトによって送られたガスが、物質供給ダクトから物質を吸い込むのに適した圧力降下を生じさせるような仕方で配置されていることを特徴とする請求項１〜２４のうち何れか一に記載の器具。
【請求項２８】
ガスは、ガスを収容した容器（２）の内部に少なくとも液相の状態で存在していることを特徴とする請求項１〜２７のうち何れか一に記載の器具。
【請求項２９】
前記器具は、ガスの供給源と、前記物質の供給源と流体連通されるのに適した少なくとも１つの物質供給手段とを有し、物質は、前記ガスの放出により前記少なくとも１つの物質供給手段の近くで生じる吸引力により供給源から吸い込まれ、前記器具は、前記少なくとも１つの物質供給手段と物質供給源との流体連通を妨げるのに適した少なくとも１つのシャッタ（１１５０；１２０１；１２１０）を更に有していることを特徴とする請求項１記載の器具。
【請求項３０】
物質供給手段は、少なくとも１つのオリフィス（１１３０）から成ることを特徴とする請求項２９記載の器具。
【請求項３１】
前記器具は、ガスが放出されている間、前記少なくとも１つの物質供給手段と物質の供給源との間の流体連通を自動的に再び確立するような仕方で構成されていることを特徴とする請求項２９又は３０記載の器具。
【請求項３２】
前記器具は、ガスディスペンサー弁及びシャッタに直接又は間接的に同時に作用するのに適した押しボタンを有し、ユーザが押しボタンを押してガスを小出しすると、前記少なくとも１つの物質供給手段と物質の供給源との間の流体連通が得られることを特徴とする請求項１〜３１のうち何れか一に記載の器具。
【請求項３３】
前記器具は、第１の容器（１１０４）を有し、該容器は、ガスを収容した第２の容器（１１０１）に固定されていることを特徴とする請求項１〜３２のうち何れか一に記載の器具。
【請求項３４】
物質入り容器とガス入り容器は、これらが使用中互いに動くのを阻止するような仕方で互いに固定されていることを特徴とする請求項２９〜３３のうち何れか一に記載の器具。
【請求項３５】
物質の入った容器（１１０４）は、ガスの入った容器に取り付けられた弁を制御するための制御部材（１１２０）を通過させることができる通路を後に残すように形状が環状であることを特徴とする請求項１〜３４のうち何れか一に記載の器具。
【請求項３６】
シャッタ（１１５０；１２０１；１２０２；１２１０）は、器具の押しボタンを動かすことにより作動される少なくとも１つの要素に作動的に連結されていることを特徴とする請求項１〜３５のうち何れか一に記載の器具。
【請求項３７】
前記要素は、物質が前記少なくとも１つの物質供給オリフィスに到達することができるようにする少なくとも１つの内部通路を備えた中空ロッド（１１４０）から成ることを特徴とする請求項３６記載の器具。
【請求項３８】
シャッタは、物質をこれが前記少なくとも１つの物質供給手段に到達するよう流通させることができる少なくとも１つのオリフィス（１１４５）を閉鎖するのに適すると共に物質を小出ししている間、前記オリフィスを少なくとも部分的に開放するのに適した少なくとも１つのガスケット（１１５０）から成ることを特徴とする請求項１〜３７のうち何れか一に記載の器具。
【請求項３９】
シャッタは、中空ロッド（１１４０）に取り付けられたガスケット（１１５０）によって構成され、前記中空ロッドは、その底端部が閉鎖され、ガスケットは、その頂面を介してロッドの肩に当接することができ、中空ロッドは、これを貫通した少なくとも１つの物質導入オリフィス（１１４５）を有し、オリフィスは、ガスケット（１１５０）の厚さ以下の直径のものであり、前記ガスケットは、中空ロッドを押し下げると、その底面を介して静止状態の支承壁（１１１４）に当接するのに適しており、それにより、ガスケットは圧縮されて導入オリフィス（１１４５）を少なくとも部分的に開放し、かくして、物質が前記少なくとも１つの物質供給手段に向かって流れることができるようになっていることを特徴とする請求項３８記載の器具。
【請求項４０】
ガスケット（１１５０）はその周囲を介して、ダクト（１１１１）の内面に当接し、中空ロッド（１１４０）は、軸方向に動いてダクト内に入ることができ、ダクトは、外部と自由に連通することができることを特徴とする請求項３９記載の器具。
【請求項４１】
中空ロッド（１１４０）は、ガスの放出量を制御する押しボタン（１１０３）を動かすことにより作動されることを特徴とする請求項３９又は４０記載の器具。
【請求項４２】
ガスケットがその底面を介して当接することができる支承壁（１１１４）内部の空間は、前記容器の底部端壁（１１０５ C）に形成された環状チャネルを介して物質の入った容器と連通することを特徴とする請求項３９〜４１のうち何れか一に記載の器具。
【請求項４３】
底部（１１０３ｂ）と頂部（１１０３ａ）を互いに組み付けることにより形成される押しボタン（１１０３）を有していることを特徴とする請求項１〜４２のうち何れか一に記載の器具。
【請求項４４】
底部（１１０３ｂ）は、物質を収容した容器内の通路に沿って延びるアクチュエータロッド（１１２０）と一体に形成されてることを特徴とする請求項４３記載の器具。
【請求項４５】
ガスを送り出す弁の制御ロッド（１１２１）は、アクチュエータロッド（１１２０）と嵌合することを特徴とする請求項４４記載の器具。
【請求項４６】
ガスは、少なくとも１つのガス出口オリフィス（１１２７ｂ）を経て放出されることを特徴とする請求項２９〜４５のうち何れか一に記載の器具。
【請求項４７】
ガスは、少なくとも２つのガス出口オリフィス（１１２７ａ；１１２７ｂ）を通って放出され、前記オリフィスは、オリフィスによって放出されたガスジェットが出会うような仕方で選択されている部分を有していることを特徴とする請求項４６記載の器具。
【発明の詳細な説明】
【技術分野】
【０００１】
本発明は、角質媒体、特に、皮膚、唇又は指爪に化粧品を吹き掛ける自蔵式携帯器具に関する。
【背景技術】
【０００２】
塗料を噴射するための噴射ガス（ベトクルガスともいう）の使用は、長い間にわたって知られており、特に、米国特許第２，６３５，９２１号で知られている。この技術は、徹底的な開発が行われており、多くの特許出願の要部となっている。例を挙げると、欧州特許出願公開明細書第２０８，２４７号並びに米国特許第５，２５５，８５２号及び第５，７１３，５１９号を参照されたい。
【０００３】
米国特許第１，４３０，５０６号は、圧縮空気入口に連結された２つのノズルが固定されているタンクを有し、２つのノズルは、物質供給オリフィス上に位置した領域で合流する空気のジェットを放出するのに適している。かかる器具では、外部圧縮空気源及び供給ホースが必要である。
【０００４】
圧縮噴射ガスの筒体に連結されたスプレースタイラス（針状部）を有するエアブラシによってメーキャップを施すことは周知であり、スプレースタイラスは、第１に、噴射ガスを噴出させるノズルと、第２に、吹き掛けられるべき物質の入った容器又はカップとを有し、かかる物質は、ノズルの入口での噴射ガスの速度に起因して生じるベンチュリ効果により生じる吸引力によってカップ内のダクト中に徐々に吸い上げられる。
【０００５】
エアブラシ型スプレー法は、特に、処置又は手入れを施したゾーンと処置又は手入れを施さなかったゾーンとの間の境を目にはっきりとは分からないようにして配合を達成し、陰影付けを施し又はボリュームのある印象を与えるようにするために利用できる。
【０００６】
必要な手の動作も互いに異なっている。というのは、吹き掛けられる物質は、いったん角質媒体上に付けられると、広げる必要がないからである。
かくして、物質は、指又はアプリケータと接触する必要がないので非常に衛生的なやり方で供給できる。
【０００７】
上述した種類の器具は、例えばカナダ国特許出願公開明細書第２，１５２，４０６号の要部をなしている。
【０００８】
これと類似した器具が、DINAIR社によってBEAUTY ART（登録商標）及びBODY ART（登録商標）として市販されており、この場合、圧縮噴射ガスの筒体に代えて空気圧縮機が用いられている。
【０００９】
スプレースタイラスと噴射ガスの力がホースによって相互に連結されていると仮定しても、スプレースタイラスと噴射ガスの力との組合せでは自蔵式構造体を構成しない器具が知られている。これら器具は比較的嵩張っていて、主としてプロフェッショナル用である。これら器具は、従来型メーキャップ付属品のように婦人が自分のハンドバックによって容易に持ち運ぶには不適当である。
【００１０】
フランス国特許公開明細書第２，７８１，２０８号は、噴射ガスが容器内に液化された形態で存在するメーキャップを吹き掛ける自蔵式携帯器具を開示しており、吹き掛けられるべき物質と噴射ガスは別々に貯蔵される。
【００１１】
液化状態で貯蔵されている噴射ガスを利用する場合、器具の使用可能時間は長くなり、噴射ガスの膨張に伴なう冷却により塗布時点でのフレッシュな感覚が得られる。
【００１２】
物質をダクトにより、或いは、フェルトの発揮する毛管作用によって噴射ガスに接触させるのがよい。
【００１３】
かかる自蔵式携帯器具では、物質の吹き掛けにより多くの問題が生じる。
第１に、物質が噴射ガスによって同伴されるようにするために物質が噴射ガスに接触する速度は、大きすぎてはならない。というのは、もし大きすぎると、スプレーは、サイズが大きすぎ、或いは不揃いの液滴を形成する恐れがあり、また、かかる速度は、小さすぎてもいけない。というのは、この場合、噴射ガスの消費量が急増し、器具を続けて用いることができる時間の長さが、不十分になるからである。
【００１４】
フェルトは、物質を噴射ガスに接触させるのに用いる場合が多い。というのは、これにより、物質の流量は、上記の相反する要件にかなりよく適合することができるからである。
【００１５】
それにもかかわらず、フェルトを用いることが常に望ましいものであるとは限らず、特に、物質が高い割合の固体粒子を含む場合には特にそうであり、その理由は、この場合フェルトは、固体粒子を保持するフィルタとして挙動しがちだからである。
【００１６】
物質の粘性が高すぎるため、或いは、物質中の固体粒子の含有量が高すぎるためにフェルトに代えてダクトを用いた場合、ダクトの断面が小さすぎるとダクトが詰まるようになる恐れがある。しかしながら、用いられるダクトの断面は、大きすぎてはならない。というのは、これにより、逆に、スプレーが大きすぎ又は不揃いなサイズの液滴を生じる恐れが生じ、このためにメーキャップの品質が損なわれるからである。
【００１７】
米国特許第４，７４２，９６３号は、噴射ガスと物質が互いに接触状態で同一容器内に貯蔵されている別の自蔵式携帯器具を記載している。必要な場合に容器を揺すぶって器具の使用前に物質を均質化させることが推奨される。この公知の器具では、吹き掛けられるべき物質は、ベンチュリ効果により生じる吸引力によっては吸い上げられず、加圧下で噴出ノズル中へ噴出される。上述の問題は生じないが、物質は、噴射ガスが存在しないので噴出ノズルを詰まらせがちである。
【００１８】
特開昭６３−２８７７１１号公報は、吹き掛け用の化粧品乳濁液（エマルション）を記載しており、乳濁液は、塗布を一層一様にするためにレシチンを含有している。この塗布方法は、例えばフランス国特許出願公開明細書第２，７８１，２０８号に記載したような自蔵式携帯器具に関する上述の問題点を解決するわけではない。
【００１９】
【特許文献１】米国特許第４，７４２，９６３号明細書
【特許文献２】特開昭６３−２８７７１１号公報
【特許文献３】カナダ国特許出願公開明細書第２，１５２，４０６号
【特許文献４】フランス国特許公開明細書第２，７８１，２０８号
【特許文献５】欧州特許出願公開明細書第２０８，２４７号
【特許文献６】米国特許第５，２５５，８５２号明細書
【特許文献７】米国特許第５，７１３，５１９号明細書
【特許文献８】米国特許第１，４３０，５０６号明細書
【発明の開示】
【発明が解決しようとする課題】
【００２０】
したがって、少なくとも０．３重量％の固体粒子を含有した物質を吹き掛けることができ、良好な吹き掛け特性を備え、しかも、良好なメーキャップの結果を得ることができる自蔵式携帯器具を提供することが要望されており、この器具は、誤動作の恐れが低いものでなければならない。
【００２１】
特に、具体的には、物質が噴射ガスにより生じるベンチュリ効果により得られる吸引力によって吹き掛けられる自蔵式携帯器具を提供することが要望されており、この器具は、器具が長期間にわたって且つ物質が攪拌されず、或いは物質が使用時に適当に攪拌されるに過ぎない場合でも詰まる恐れを生じさせないで、ユーザの期待及び比較的高い割合の固体粒子を含む物質、例えばファンデーションメーキャップと適合する時間の長さにわたって使用できなければならない。
【課題を解決するための手段】
【００２２】
本発明の一体構造の新規な自蔵式器具は特に、この要望を満足させるのに役立ち、吹き掛けられるべき物質の供給源と、ガス入り容器と、弁とを有し、弁を作動させると物質を吹き掛けることができ、物質は、固体粒子及び少なくとも１種類の分散助剤又はゼリー状化剤を含有していることを特徴とする。
【００２３】
自蔵式携帯器具に入れられている物質は、固体粒子を含むだけでなく、分散助剤又はゼリー状化剤をも含むので、固体粒子がスプレーのために物質を通って通るダクト詰まらせやすいような仕方で凝集するのを防止しながら、物質が噴射ガスによるベンチュリ効果により生じる吸引力によって抽出可能なほど十分流動性があるようにすることができる。
【００２４】
分散助剤又はゼリー状化剤が設けられていることにより、特に物質が貯蔵中、物質内で新しい相又はクリームが沈降したり、或いは出現するのを回避し又は遅らせることができ、かくして、器具の動作全体を通じて物質の一様な抽出を促進させることができる。
【００２５】
分散助剤又はゼリー状化剤は好ましくは、周囲温度状態及び種々の使用条件下においてはこれを含有している媒体中で結晶化することがないように選択される。
周囲温度は、極端な使用条件に相当する温度範囲、例えば１０℃〜４５℃の範囲にわたる。
【００２６】
周囲温度状態で媒体中で結晶化する恐れがあり、好ましくは本発明の実施に用いられないゼリー状化剤又は分散助剤としては、ワックス、特に、炭化水素ワックス又はシリコーンワックス（アルキル又はアルコキシジメチコン）、セライド（cerides）及びステライド（sterides）又はグリセロホスホコリン及び脂肪酸エステル、例えばホスホリピドを含む脂肪酸及び脂肪アルコールエステル、並びにアミノ酸及び脂肪酸、特にセラミド（ceramides）が挙げられる。
【００２７】
物質の固体粒子含有量は、０．３重量％以上、好ましくは、５重量％〜７０重量％、好ましくは、２０重量％〜７０重量％、特に物質がファンデーションメーキャップである場合、より好ましくは３０重量％〜６０重量％であり、分散助剤又はゼリー状化剤の含有量は、０．０１重量％〜１０重量％であり、好ましくは、０．１重量％以上であるのがよい。
【００２８】
物質中に含まれている粒子は、着色されたものであっても、着色されていないものであってもよい。
本発明の特定の実施形態では、物質は、顔料、任意的には、互いに異なる色の複数の顔料を含んでいる。
【００２９】
物質が互いに異なる色の顔料を含んでいる場合、少なくとも１種類の分散助剤又はゼリー状化剤が存在していることにより、所与の色の顔料の別の色の顔料からの分離を減少させることができ、かくして、時間が経っても一定のままであるトーンのメーキャップを得ることができる。
【００３０】
粒子は、顔料、例えば鉄、チタン又は酸化亜鉛、有機ワニス又は無機真珠箔剤、マイカ、チタン、又はチタン−マイカであってよい。
物質は、有機粉末、例えば、特に、ポリアミドの粒子、ポリアクリレートの粒子、メチルメタクリレートの粒子、ポリウレタンの粒子、ポリエチレンの粒子、架橋ポリスチレンの粒子、及びこれらの混合物であってもよい。
【００３１】
粒子は、鉱物を原料とする粉末、例えばタルク、クレー、シリカ、窒化硼素及びこれらの混合物の粉末、植物を原料とする粉末、例えばスターチの粉末、動物を原料とする粉末、例えば貝殻の粉末であってもよい。
オイル（油）をゼリー化するためにゼリー状化剤を適宜、有機基で改質するのがよい。
【００３２】
粒子は、例えば東芝により“TOSPEARL”という商品名で市販されているメチルセスキオクサン樹脂のビードの形態をしたシリコーン又は架橋シリコーン、特に特に米国特許第５，９２８，６６０号に記載されているような水性分散液の形態をした架橋シリコーンであってもよい。
【００３３】
粒子は、フッ素含有粉末、例えば粉末状ＰＴＦＥ（ポリテトラフルオロエチレン）であってもよい。
【００３４】
粒子は、ナノメートルサイズのものであってもよく、例えばナノチタン又はナノ酸化鉄（nanoiron oxides）から成っていてもよく、或いは、マイクロメートルサイズのものであってもよい。物質は、マイクロメートルサイズの粒子とナノメートルサイズの粒子の両方から成っていてもよい。
粒子をコーティングするのがよいが、このようにするかどうかは任意である。
【００３５】
上述したように、物質は、物質の粘度が、物質をその供給源から抽出する仕方、特に、物質が、ベンチュリ効果によって吸い出されることによって抽出される場合と適合するようにするために好ましくは物質中の他の成分の性状の関数として０．０１重量％〜１０重量％のゼリー状化剤及び（又は）分散助剤を有する。
【００３６】
用いられる分散助剤及び（又は）ゼリー状化剤は、親水性であってもよく、或いは、親油性であってもよい。
【００３７】
ゼリー状化剤として、特にポリマー性の親水性ゼリー状化剤、例えば多糖系のゼリー状化剤、特に、キサンタンガム、ゲラン（gellan）ガム、クアール（quar）ラム及びこれらの誘導体、セルロース及びその誘導体、ビニール系、カルボキシビニル系、アクリル系、ポリウレタンのゼリー状化剤、非ポリマー性の鉱物系ゼリー状化剤、例えばクレー、特にバンダービルト（Vanderbilt）社により販売されているビーガム（Veegum：登録商標）、任意的に改質されたレオックス（Rheox）社により販売されているベントン（Bentone ：登録商標）及び親水性シリカを使用することができる。
【００３８】
特に、親油性ゼリー状化剤として、ポリマー系の薬剤又は「オルガノゼリー状化」型、即ち、ブラッキー・アカデミック・アンド・プロフェッショナルによって発行された本「専門家の界面活性剤（Specialist surfactants）」内で言及されている種類の格子を構成するような仕方で相互作用を生じさせる非ポリマー性のサイズの小さな分子の形態をした薬剤を使用できる。
【００３９】
オルガノゼリー状化型のゼリー状化剤として、１２ヒドロキシステアリン酸、その塩及び誘導体（エステル又はアミド）、アミノ酸アミド又はＮ−酸アミノ酸、トリカルホン酸のアミド、ソルビトールジベンジリデン又はアルジトール及びその誘導体について言及することができる。
【００４０】
親油性ゼリー化ポリマーの例として、シリコーンポリマー及びその誘導体（１０，０００以上の高分子量のポリジメチルシロキサン（ＰＤＭＳ））を挙げることができ、かかるシリコーンポリマーは、ダウ・コーニング社から入手できるＱ２−１４０１と称する製品中に含有された線状（「ガム」）シリコーンポリマー又は「樹脂」系の架橋シリコーンポリマー、例えば信越社から入手できるＫＳＧ６又は１６と称する製品中に含有された架橋シリコーンポリマー、ダウ・コーニング社から入手できるＴＲＥＦＩＬ５０５Ｃ又は５０６Ｃと称する架橋シリコーンポリマー、又はグランシル社からＳＲ−５−ＣＹＣという商品名で入手できる架橋シリコーンポリマーであるが、これらは任意である。
【００４１】
また、ポリマー系親油性ゼリー状化剤、例えばシリコーン又はアクリル系シリコーンから誘導されたポリマーを用いることができる。
【００４２】
また、親油性ゼリー状化ポリマー、例えばポリアミド系の重縮合物又は疎水性鎖を持つ多糖、或いはポリウレタンを用いることができる。
【００４３】
１以上の分散助剤を用いる場合、これら分散助剤は、親水性又は疎水性のものであることが必要であり、そして、静電反発又は立体安定性によって働くすることが必要である。
【００４４】
親水性分散助剤として、特に、少なくとも１種類の陰イオン充填剤を有する親水性分散助剤、例えばカルボキシル基を持つ分散剤、スルホネート、アクリル酸のターポリマー、ポリアスパルテート、マレイン酸の誘導体を挙げることができず、これら分散助剤は、主として静電反発によって作用する。
【００４５】
立体安定性により一層よく作用する分散助剤の中でも、ポリビニルピロリドン（ＰＶＰ）型分散剤、ポリオキシエチレン及びポリカプロラクトンが挙げられる。
【００４６】
油状媒体中に用いられる分散剤は、カルボキシレート、アクリル樹脂、環を持つ炭化水素、特に、スチレン、スクシンイミド系の炭化水素であるのがよい。
【００４７】
上述のゼリー状化剤又は分散助剤は、別々に用いられてもよく、或いは、混合物の状態で用いられてもよい。
【００４８】
物質は、少なくとも１種類の分散助剤及び少なくとも１種類のゼリー状化剤を含むのがよい。
【００４９】
一般に、少なくとも１カ月を超える期間にわたって使用されないとき、物質は有利には、器具内の周囲温度で保存することができるのに十分に密閉された容器内に入れられる。
【００５０】
有利には、物質は、着脱自在なカートリッジに入れられる。
変形例として、物質を着脱不能な容器に入れてもよい。
【００５１】
物質の粘度は好ましくは、２０センチポアズ〜５００センチポアズの範囲、即ち、１秒当たり２０ｍＰａ（ｍＰａ／ｓ）〜５００ｍＰａ／ｓの範囲にあり、粘度は、配合物の流動性に応じて、“１”、“２”又は“３”型の適当な動作単位を用いる回転型であるレオメトリック・サイエンティフィック社製のＲＭ１８０レオメータ（流動計）を使用して２００／ｓの剪断速度で１０分後に測定され、測定は、２５℃の温度で行われる。
【００５２】
物質は、従来化粧品中に用いられた通常の配合物のうち任意のもの、特に、親水性又は親油性活性剤、例えばＵＶ遮断剤（フィルタ）及び保湿剤（例えばグリセリン）、ケアオイル、酸化防止剤、保存剤、香水及び消泡剤を更に含有するのがよいが、これらには限定されない。
【００５３】
器具は、物質中に浸漬している管を更に有するのがよい。
物質は、ガスを収容している容器内部に配置された可撓性袋内に入れられるのがよい。
変形例として、物質は、ガスを収容している容器とは異なる容器内に入れられてもよい。
容器は、少なくとも３つの位置、即ち、休止位置、物質とガスの混合物を小出しすることができる位置及びガスをそれ自体で小出しできるようにする位置を備えた弁を備えるのがよい。
【００５４】
スプレー器具は、少なくとも１つの物質供給ダクト及び少なくとも１つ、好ましくは２つのガス供給ダクトを有し、ダクトは、供給ダクトによって送られたガスが、物質供給ダクトから物質を吸い込むのに適した圧力降下を生じさせるような仕方で配置されている。
【００５５】
器具は、噴射ガスの供給源と、物質の供給源と流体連通されるのに適した少なくとも１つの物質供給手段とを有し、物質は、噴射ガスの放出により少なくとも１つの物質供給手段の近くで生じる吸引力により供給源から吸い込まれる。
【００５６】
器具は、少なくとも１つの物質供給手段と物質供給源との流体連通を妨げるのに適した少なくとも１つのシャッタを更に有するのがよい。
かくして、物質を物質供給源中に保存する条件は改善され、特に、揮発分が逃げ出るのを阻止することができる。
また、例えばハンドバックで見受けられるように器具を水平に又は逆さまの位置で持ち運んでいる間、物質の漏れの恐れを回避することができる。
【００５７】
物質供給手段は、少なくとも１つのオリフィスから成るのがよい。
器具は、ガスが放出されている間、少なくとも１つの物質供給手段と物質の供給源との間の流体連通を自動的に再び確立するような仕方で構成されるのがよい。かくして、器具は、噴射ガスの放出が止まるといつでも流体連通を自動的に妨げるような仕方で配置されるのがよい。
【００５８】
器具は、ガスディスペンサー弁及びシャッタに直接又は間接的に同時に作用するのに適した押しボタンを有するのがよく、ユーザが押しボタンを押してガスを小出しすると、少なくとも１つの物質供給手段と物質の供給源との間の流体連通が得られる。
【００５９】
物質は例えば第１の容器に入れられ、第１の容器は、噴射ガスを収容した第２の容器に固定されている。２つの容器は、少なくとも１つの部分を共通して更に有するのがよく、例えばそれぞれ噴射ガス及び吹き掛けられるべき物質を収容した少なくとも２つのコンパートメントを構成するパーティションを有するのがよい。
【００６０】
物質を収容した容器と噴射ガスを収容した容器を、使用中互いに動くことができるようにしないで、固定された関係にするのがよい。例をあげて説明すると、これにより、比較的コンパクトで、特にハンドバックに入れた状態で持ち運びやすい組立体を得ることができる。
【００６１】
物質の入った容器は、例えばガスの入った容器に取り付けられた弁を制御するための制御部材を通過させることができる通路、例えば中央通路を後に残すように形状が環状であるのがよい。
【００６２】
シャッタは、器具の押しボタンを動かすことにより作動される少なくとも１つの要素に作動的に連結されるのがよい。かかる要素は、例えば中空ロッドからなるのがよく、このロッドは、物質が少なくとも１つの物質供給オリフィスに到達することができるようにする少なくとも１つの内部通路を備え。
【００６３】
例を挙げて説明すると、シャッタは、物質をこれが少なくとも１つの物質供給手段に到達するよう流通させることができる少なくとも１つのオリフィスを閉鎖するのに適すると共に物質を小出ししている間、オリフィスを少なくとも部分的に開放するのに適した少なくとも１つのガスケットから成るのがよい。
【００６４】
特定の実施形態では、シャッタは、中空ロッドに取り付けられたガスケットによって構成され、中空ロッドは、その底端部が閉鎖され、ガスケットは、その頂面を介してロッドの肩に当接することができる。中空ロッドは、これを貫通した少なくとも１つの物質導入オリフィスを有し、オリフィスは、例えはガスケットの厚さ以下の直径のものである。ガスケットは、中空ロッドを押し下げると、その底面を介して静止状態の支承壁に当接するのに適しており、それにより、ガスケットは圧縮されて導入オリフィスを少なくとも部分的に開放し、かくして、物質が少なくとも１つの物質供給手段に向かって流れることができるようになっている。例を挙げて説明すると、ガスケットはその周囲を介して、ダクトの内面に圧接し、中空ロッドは、軸方向に動いてダクト内に入ることができ、ダクトは、外部と自由に連通することができ、この場合、ガスケットにより、中空ロッドとダクトの内面との間に位置した隙間の漏れ止めクロージャを得ることができる。ダクトの頂端部は、例えば物質の入った容器の頂部を閉鎖するカバーに連結されるのがよい。中空ロッドは、ガスの放出量を制御する押しボタンを動かすことにより作動されるのがよい。ガスケットがその底面を介して当接することができる支承壁内部の空間は、例えば容器の底部端壁に形成された環状チャネルを介して物質の入った容器と連通するのがよい。上述のダクトを、上述の管状支承壁に漏れ止め状態で連結するのがよい。
【００６５】
本発明の特徴によれば、底部と頂部を互いに組み付けることにより形成される押しボタンを有するのがよい。底部は、例えば物質を収容した容器内の通路に沿って延びるアクチュエータロッドと一体に形成されたものであるのがよく、物質の入った容器の通路、例えば中央通路内を延びるのがよい。ガスを送り出す弁の制御ロッドは、アクチュエータロッドと嵌合するのがよい。
【００６６】
物質の当初の含有量は、例えば５ｃｍ3〜２００ｃｍ3、特に、１０ｃｍ3〜１００ｃｍ3であるのがよい。
ガスは、噴射ガスを収容した容器内で少なくとも１つの液相の状態で存在するのがよい。
【００６７】
本発明の他の特徴及び利点は、本発明の実施形態ついての非限定的な説明及び添付の図面を参照すると理解されよう。
特許請求の範囲を含む本明細書において、「〜を含む」という表現は、「少なくとも１つを含む」という意味として理解されることが必要である。
【発明を実施するための最良の形態】
【００６８】
図１は、１回分の噴射ガスを収容した第１の容器又は受け具２と、吹き掛けられるべき液体を収容した第２の容器又は受け具３とを有する本発明の第１の実施形態としてのスプレー器具１を示している。
【００６９】
この例では、噴射ガスは、容器２内では液化状態で存在し、その性質は、角質媒体、例えば皮膚、指爪又は毛への吹き掛け（スプレー）に適合するように選択されている。
例を挙げると、噴射ガスは、圧縮ガス、特に、空気、ブタン、イソブタン、イソプロパン又はフッ素含有配合物である。
噴射ガスは、液化状態で存在するのがよい。
当然のことながら、他の幾つかの噴射ガス、例えば圧縮窒素を用いることは本発明の範囲から逸脱しない。
【００７０】
本発明によれば、容器内に入っている物質は、少なくとも０．３重量％の固体粒子及び少なくとも１種類の分散助剤又はゼリー状化剤を含んでいる。
物質中に存在するのに適した配合物の多くの例が与えられている本明細書の冒頭部分を参照すると有用である。
【００７１】
容器２，３に加えて、スプレー器具１は、スプレーヘッド５及び図面には見えない制御弁を作動させるアクチュエータ部材５６、例えば押しボタンを有するディスペンサー組立体４を有している。
【００７２】
スプレーヘッド５は、容器３に入っている液体を小出しする中央ノズル６及び噴射ガスを噴出させる２つの側方ノズル７を有している。
【００７３】
ノズル６，７は、図２に詳細に示されている。
ノズル６は、軸線Ｘ上に位置する内部通路８を有し、この軸線は、吹き掛け（スプレー）軸線と一致している。
ノズル７は各々、軸線Ｙ上に位置した内部通路９を有し、これら軸線Ｙは各々、軸線Ｘと４５°の角度をなし、軸線Ｘと同一の平面内に位置している。
【００７４】
通路８は、容器３に入っている物質と永続的に連通状態にあり、かかる通路は、浸漬管によって容器の内部内へ延長され、通路９は、押しボタン５６によって作動される弁を介して容器２内に入っている噴射ガスと連通状態にある。
【００７５】
噴射ガスの出口オリフィス１４は直径が例えば０．４ｍｍであり、液状物質の出口オリフィス１５は直径が例えば０．９ｍｍである。
【００７６】
ユーザが押しボタン５６を押すと、噴射ガスは通路９に沿って流れ、そしてノズル７を出た際に膨張し、かくして、ノズル６の前でベンチュリ効果による圧力降下が生じ、それにより、物質は通路８内に吸い込まれる。
【００７７】
軸線Ｙの差し向け方に鑑みて、ノズル７によって放出された噴射ガスは互いに出会い、かくして、満足のいくメーキャップの効果を得ることができるのに見合った液滴特性及び全体的なスプレー形状を得ることができる。
【００７８】
図２に示す特定の形態では、ノズル６は、デフレクタ形成要素として働き、ノズル７によって前方方向に放出された噴射ガスジェットの各々の何分の１かを逸らす。
換言すると、各噴射ガスジェットの少なくとも一部は、ノズル６にあたり、次に、吹き掛け軸線の方向に近い方向をとる。
ノズル６は、母線が吹き掛け軸線Ｘと、軸線Ｙの各々と軸線Ｘとのなす角度よりも小さい角度をなす中空切頭円錐形部分１１を備えていることが分かろう。
図２に示す例では、ノズル６は、平らであって軸線Ｘに垂直な端面１２を有し、各ノズル７の軸線Ｙは、端面１２の円形縁部１３と交差している。
ノズル６の端面１２と各ノズル７の前面の縁部１６との間の距離Ｈは、例えば約１．７ｍｍである。
図１及び図２の実施形態では、ノズル６，７は、別々の継手によって構成されている。
【００７９】
当然のことながら、物質及び噴射ガスの出口オリフィスを、図３に示すように単一部品で作られた内部通路の端部によって構成することは本発明の範囲を逸脱しない。
【００８０】
図３では、噴射ガスと連通状態にある側方通路２１及び液体物質と連通状態にあり、軸線Ｘ上に位置したオリフィス２４を介して外部に対向した中央通路２２が穴開けされたスプレーヘッド２０が見える。
通路２１は、軸線Ｘと交差した軸線Ｙ上の別々のオリフィス２３を介して外部に開口している。
図３の実施形態では、通路２１によって放出された噴射ガスジェットは、デフレクタ形成要素、例えば上述のノズル６によって先立って逸らされることなく、互いに直接に当たる。
【００８１】
本発明は、１種類の液体物質を小出しする技術には限定されず、本発明の範囲を逸脱しないで、少なくとも２種類の物質の混合物を小出しすることができ、これら物質のうちの一方は、例えば噴射ガスの入っている容器内に入れられ、これに同伴される。
【００８２】
また、２種類の物質を各々、それぞれ別々の容器内に入れることも可能であり、両方の容器は、噴射ガスを収容した容器とは異なっている。
【００８３】
かかる条件下において、液体物質を図４に示すように２つの別々の経路を経て送ることができる。
図４では、通路２２に代えて、それぞれが２つの互いに異なる物質、例えば別々に包装し、即座に互いに混ぜ合わされる必要のある２種類の物質のそれぞれと連通状態にある２つの通路３０，３１が用いられている。
通路３０，３１のオリフィス３２，３３の軸線Ｚは、吹き掛け軸線Ｘに平行である。
吹き掛け軸線Ｘは、水平であってもよく、或いは、スプレー器具の問え扱いの仕方及び処置又は手入れが施されるゾーンの場所に応じて別のある向きを有していてもよい。
スプレー器具は、ヘッドを上にして動作するよう設計されたものであってもよく、或いは、ヘッドを下にして動作するよう設計されたものであってもよい。
【００８４】
物質を、図５を参照して以下に説明するように着脱自在な容器内に入れることができる。
図５は、噴射ガスを入れた容器４１及び１回分の物質Ｐを入れた容器４２を有する器具４０を示している。
本発明によれば、この物質Ｐは、固体粒子及び少なくとも１種類のゼリー状化剤又は分散助剤を含んでいる。
容器４１は、ねじ山付きネック４３を備えている。
スプレーヘッド４５が、容器４１の一部をなす弁の中空制御ロッド４６に固定されている。
容器４２は、ねじ山付きネック４３に螺着するよう構成された環状組立て用スカート４７を有している。
容器４２は、カバー４８によって頂部が漏れ止め状態で閉じられている。
【００８５】
押しボタン４５は、互いに角度をなした２つの噴射ガス小出しオリフィス４８を備え、これらオリフィスは、図５の例では容器４２の底部まで下方に浸漬した管によって構成された液体物質を供給する部材５０上で実質的に垂直方向に互いに交差した軸線Ｙを有している。
管５０は、カバー４８を漏れ止め状態で通過している。
【００８６】
管５０の頂端部はユーザが押しボタン４５を押したときに噴射ガスをオリフィス４８を通って噴出させることにより生じる吸引力の作用下で液体物質が流出できるようにするオリフィス５１を備えている。
【００８７】
容器４２を容器４１に着脱自在に固定することにより、ユーザは、液体物質をいったん使いきると、空の容器４２を物質で一杯の新品の容器で置き換えるだけで液体物質の供給を再び得ることができるようになる。
【００８８】
また、容器４２を容器４１に着脱自在に取り付けることにより、ユーザは、互いに異なる物質、例えば互いに異なる色の物質の入った複数の容器から特定の容器４２を選択することができる。
【００８９】
かくして、ユーザは、互いに異なる物質の入った複数の容器から選択された容器と関連した噴射ガスを入れた単一の容器４１を使用することができる。
容器４２は、管５０の内部の通路以外に空気取入れオリフィスを備える必要はないことは理解されるべきである。
【００９０】
押しボタン５５を作動させたときに物質が小出しされると、容器４２内に吸引力が生じ、小出しが止まると、容器４２内での平衡圧力への戻りに伴なって管５０内の物質が下方に移動し、かくして、管５０の或る程度の自己クリーニングが達成され、管の詰まる恐れが制限される。
【００９１】
図６〜図８に示す器具１０１は、フランス国特許出願公開明細書第２，７８１，２０８号に詳細に説明されている。
【００９２】
この器具１０１は、加圧状態のガス、特に空気を収容した容器１０２を有している。容器１０２は、底部１０４によって閉鎖された一端部を備えた本体１０３を有する缶によって構成されている。缶の底部から遠くに位置するその端部には弁１０５が取り付けられており、この弁は、押し下げられることによって作動される形式の突出ロッド１０６を有している。弁１０５は、圧着により容器１０２に固定されたカップ１０７によって支持されている。弁１０５はそれ自体、圧着によりカップ１０７に取り付けられている。
【００９３】
環状タンク−キャリヤ部材１１１が、容器１０２上で自由に回転することができるよう取り付けられており、この部材は、各々がスプレー用の化粧品を入れた２つのタンク１１２を構成している。
それぞれのダクト１１８が各タンク内に浸漬している。
フープ１３０が、容器１０２にスナップ留めされている。
【００９４】
このフープ１３０は、具体的には締り嵌めされることにより容器に対して回転しないようになっており、このフープは、タンクキャリヤ１１１が軸方向に動くのを阻止する。
フープ１３０は、タンク１１２のダクト１１８を外部から隔離するようこれらダクトを覆うのに適した環状チャネル１３３を有している。
【００９５】
噴射ガス小出し通路１３４が、突起１４１の内部に形成されていて、出口オリフィス１３０を通って側方を外部に開口している。
【００９６】
通路１３４は、容器１０２の軸線に垂直に延びるフィルムヒンジ１３６を介して押しボタン１３５に連結されている。
【００９７】
出口オリフィス１４０は、ダクト１１８の頂端部にできるだけ近接して位置できるような仕方で配置されている。例を挙げると、この距離は、約１ｍｍであるのがよい。
突起１４１は、キャッチ１３７によって容器１０２に直にスナップ留めされている。
【００９８】
タンクキャリヤ１１１は、ボール１５２及びばねを有し、設けられているタンク１１２と同数の割出し位置をもたらす割出し機構により噴射ガスの出口オリフィス１４０に対して正確に位置決めされている。
【００９９】
有利には、割出し位置決め機構は、９０°間隔を置いて位置した４つの割出し位置、即ち、出口オリフィス１４０をダクト１１８のうち一方又は他方と位置合わせする１８０°の間隔を置いて位置した２つの第１の位置と、出口オリフィス１４０がダクト１１８の何れとも位置が符合しない２つの中間又は貯蔵位置をもたらし、２つの中間位置は、第１の２つの位置に対して９０°の角度をなしている。
【０１００】
各ダクト１１８は、対応関係にあるタンク１１２の底部内へ浸漬した底端部１１７を有し、その他方の端部は、タンク１１２から出ている。
通路１３４は、各ダクト１１８の軸線に実質的に垂直に延びている。
【０１０１】
選択されたタンク１１２（そのダクト１１８は、オリフィス１４０の近くに位置している）に入っている物質は、ユーザが押しボタン１３５を押すと図８に示すように吹き掛けられる。
【０１０２】
図１〜図８を参照して説明する例では、物質は、噴射ガスによるベンチュリ効果によって得られる吸引力により吹き掛けられる。
【実施例１】
【０１０３】
以下の表１に示す組成を有するノンオイルのファンデーションメーキャップを用いて図１及び図２の器具につき最終的な試験を行なった。
表１
ＢＹ  ２９−１１９                                        ４０％
（ダウコーニング・トーレイ社から市販されて
いる水性分散液の状態の架橋シリコーン）
顔料（酸化鉄及び二酸化チタン）                              ７％
（固体粒子）
ロキデングリコール                                        ７％
リセリン                                                  ４％
カルボキシメチルセルロース（ゼリー状化剤）                  ０．１％
澱粉粉末（固体粒子）                                        ２．５％
親水性改質タルク（固体粒子）                                ２．５％
防腐剤                                                      ｑ．ｓ．
水                                              ｑ．ｓ．ｐ．１００％
【０１０４】
このファンデーションメーキャップを調製するため、顔料をプロピレングリコール、グリセリン中に分散させ、カルボキシメチルセルロース、水及び防腐剤でゼリー（ジェル）を作る。
【０１０５】
ゼリーを、低温状態のままで（約２５℃）１０分間、適度にかき混ぜる。
依然として低温状態で固体粒子、即ち、ＢＹ  ２９−１１９配合物、タルク及び澱粉をこの中に分散させ、混合物を１０分間かき混ぜる。
これにより、非常に流動性が高く、通常の保存条件下で時間が経っても、具体的には４５℃で２ヶ月間安定性のあるファンデーションが得られる。
その粘度は、上述の条件下で測定して５０センチポアズである。
操作中、中央ノズル６の詰まりは観察されなかった。
【実施例２】
【０１０６】
ボディメーキャップに適した組成物の別の例は以下の表２に示す通りである。
表２
顔料（固体粒子）                                            ７％
真珠箔剤（固体粒子）                                        ３％
プロピレングリコール                                        ２．６５％
キサンタン（多糖タイプのゼリー状化剤）                      ０．５％
着色分散助剤：ユニケマ社によって市販されて                  ０．１８％
いるARLANTONE ３３１５（水とプロピレンの
混合物（５０／５０）中の４０％のアクリ
レートコポリマー及びプロピレングリコール、
及びナトリウム塩）
ＢＹＫ−０１９                                              ０．０６％
ジプロピレングリコールモノメチルエーテル
の状態でＢＹＫ−ＣＥＲＡ社によって市販されている
ジメチコンコポリル（消泡剤）
水                                                ｑ．ｓ．ｐ．１００％
当然のことながら、本発明は、上述の実施形態には限定されない。
【０１０７】
特に、固体粒子含有物質を自蔵式携帯器具、例えば図１〜図８を参照して説明した器具のうち任意の１つを用いて吹き掛ける場合にはいつでも分散助剤又はゼリー状化剤を固体粒子を含有した物質中に用いるのが特に有利であるが、物質中にゼリー状化剤又は分散助剤が存在していることも又、物質を加圧下でノズル中へ送ることにより吹き掛けるときに有利であることが判明しており、この物質は任意的に、噴射ガスと混ぜ合わされる。
【０１０８】
例を挙げると、図９は、エアゾール缶タイプの容器２０２を有する器具２０１を示しており、この容器は、小出しされるべき物質Ｐの入った袋２０３を収容し、袋２０３の外部に位置するが容器２０２の内部に位置する空間は、ガスＧ、例えば圧縮空気で満たされている。
【０１０９】
エアゾール缶２０２の底部は、これに圧縮空気を補給することができるようにする弁２０４を備え、容器２０２の頂部は、袋２０３内に入っている物質Ｐを小出しするのに適した面２０５を有している。
【０１１０】
弁２０５は、ノズル２０８が取り付けられた押しボタン２０７を備えている制御ロッドを有している。
【０１１１】
ノズル２０８は、多くの形態のものであってよく、これは、図面が分かりやすくなるようにするために概略的に示されているに過ぎない。
【０１１２】
ユーザが押しボタン２０７を押し、それにより制御棒が下方に動くと、袋２０３内に入っている物質Ｐは、加圧下でノズル２０８に送り出され、好ましくはガラスと混合される。
物質をガスと混合しないで吹き掛けることは本発明の範囲から逸脱しない。
【０１１３】
物質を噴射ガスと混合しながら吹き掛ける場合、例えば図１０及び図１１に概略的に示すように少なくとも３つの位置を持つ弁を用いることが可能であり、この場合、かかる弁は、欧州特許出願公開明細書第７０９，３０５号に詳細に記載されている。
【０１１４】
この弁は、オリフィス３０１を介して底端部が物質と連通した本体３００を有している。
【０１１５】
密封リング３０３を備えた部材３０２が、ばね３０８からの付勢力に抗して本体３００の内部で動くことができる。
部材３０２は、弁の制御ロッド３０４と一体に形成されており、物質又は噴射ガスを送り出す通路３０５を備えている。
【０１１６】
通路３０５は、弁が休止状態にあるときにガスケット３１０で閉鎖される側方オリフィス３１１を介して底部の近くで外部に開口する。
本体３００は、製品ガスを本体の頂部の近くで導入するためのオリフィス３０６を備えている。
【０１１７】
物質の入っている袋は、オリフィス３０６を閉鎖しないで本体３００に固定されている。
部材３０２は、Ｏリング３０３を備えている。
環状溝３０９が、本体３００の内面に形成されている。
【０１１８】
休止状態では、Ｏリング３０３は環状溝３０９の上方で本体３００の内面に当接し、したがってダクト３０５がガス取り入れオリフィス３０６を介してのみ容器の内部と連通するようになっている。
【０１１９】
制御ロッド３０４をその下方行程の第１の部分にわたって押し下げられると、Ｏリング３０３は、オリフィス３１１がガスケット３１０の下で外部に開口した状態で、本体３００の内面に漏れ止め状態で当接し、かくして、噴射ガスだけが図１０に示すようにオリフィス３０６を通過することができる。
【０１２０】
制御ロッド３０４を更に押し下げると、Ｏリング３０３は、溝３０９に達し、本体３００の内面への圧接をやめ、かくして、物質と噴射ガスの両方が図１１に示すように同時に通ることができる。
【０１２１】
図１０の位置は、弁をその休止位置に戻すのに先立ってディスペンサー回路中に入っている物質をパージするのに使用できる。
【０１２２】
図１２に示すスプレー器具１１００は、液化形態の噴射ガス、例えばブタン、イソプロパン、イソブタン又は弗素化化合物の入った加圧容器１１０１と、押しボタン１１０３及び上述した物質Ｐの入った容器１１０４から成るディスペンサー組立体１１０２とを有している。
【０１２３】
図示の例では、容器１１０４は、軸線Ｗの回りに形状が全体として環状であるキャビティ１１０５を有し、このキャビティ１１０５は、物質Ｔを収容していて、外部が半径方向において第１の管状壁１１０５ａにより且つ内部が半径方向に第２の管状壁１１０５ｂによって構成されている。壁１１０５ａ，１１０５ｂは、底部のところが底部端壁１１０５ｃにより一体化され、この底部端壁は、軸線Ｗの回りに環状チャネル１１０７を有しており、この機能については以下に説明する。
【０１２４】
キャビティ１１０５の頂部は、ダクト１１１１を備えたカバー１１１０によって閉鎖され、このダクト１１１１は、軸線Ｗに平行なその軸線を有し、カバーの底面に連結されている。カバー１１１０は、壁１１０５ａの頂端部のところに形成された肩１１１２に当接できる。
【０１２５】
ダクト１１１１は、キャビティ１１０５の実質的に高さ全体にわたって延び、その底端部は、壁１１１４に取り付けられ、この壁は、チャネル１１０７上で垂直方向に底壁１１０５ｃから上方に突出している。ダクト１１１１を壁１１１４に、例えば一方を他方の中に嵌合させることにより取り付けるのがよい。上述の壁１１１４は、連続であってもよく、或いは不連続であってもよく、例えばこれはスタッドによって構成できる。
【０１２６】
ダクト１１１１及びカバー１１１０を例えば互いに一体に形成してもよい。
押しボタン１１０３は例えば、頂部１１０３ａと底部１１０３ｂを互いに組み付けることにより作られる。図示の例では、底壁は、加圧容器１１０１の弁を作動させるための中空ロッド１１２０と一体に形成されており、この中空ロッドは、壁１１０５ｂの内側で摺動できる。
【０１２７】
この弁はそれ自体、ロッド１１２０の底端部に嵌め込まれ、ノズル１１２０の底部端面に肩を介して当接する中空制御ロッド１１２１を有するのがよい。
【０１２８】
押しボタン１１０３を軸線Ｗに沿って動かすと、これは制御ロッド１１２１に作用することができ、かくして、噴射ガスがロッド１１２０の内側でダクトに沿って流れてキャビティ１１２５に達するようになり、このキャビティ１１２５は、図１４で分かるように、噴射ガス出口オリフィス１１２７ａ，１１２７ｂを介して押しボタンの外部に対向した２つの内部ダクト１１２６ａ，１１２６ｂと連通状態にある。オリフィス１１２７ａ，１１２７ｂは、例えば互いに実質的に垂直な軸線Ｚａ，Ｚｂを有し、これら軸線はそれぞれ、例えば吹き掛け方向に対し約４５°の角度をなしている。
【０１２９】
押しボタン１１０３は又、例えば吹き掛け方向と一致した軸線Ｚｃを有する物質供給オリフィス１１３０を更に有している。オリフィス１１３０は、例えば中空ロッド１１４０の内部と連通し、この中空ロッドは、図１６で分かるようにその底端部が壁１１４１によって閉鎖されており、この中空ロッドにはシャッタ形成環状ガスケット１１５０が嵌着されており、ガスケット１１５０は、例えばエラストマーで作られている。
【０１３０】
図示の例では、ガスケット１１５０は、その平らな頂面１１５１を介してロッド１１４０の環状リブ１１４２に当接している。ロッド１１４０は、少なくとも１つの物質導入オリフィス１１４５を有し、その直径は、ロッド１１４０の軸線に沿って測定されたガスケット１１５０の公称厚さ以下である。オリフィス１１４５は、ガスケット１１５０が休止状態でリブ１１４２に当接すると、オリフィス１１４５を完全に覆ってキャビティ１１０５内の物質Ｐがオリフィス１１４５を介してロッド１１４０内へ入るのを阻止するように位置決めされている。
【０１３１】
例を挙げると、ロッド１１４０は、その頂端部を介して押しボタン１１０３のハウジング１１６０内に固定され、ユーザが押しボタン１１０３を押すと、ロッド１１２０と一緒に動くことができる。ロッド１１４０を押し下げると、ガスケット１１５０は壁１１１４とリブ１１４２との間で圧縮され、かかる圧縮は、その厚さを減少させ、オリフィス１１４５を少なくとも部分的に開放する作用効果を有しており、したがって、キャビティ１１０５内の物質はオリフィス１１５５を通りロッド１１４０の上方に流れて物質供給オリフィス１１３０に達することが出来るようになっている。
【０１３２】
押しボタン１１０３を離すと、ロッド１１４０は押しボタンと一緒に上昇し、ガスケット１１５０が、ガスケットの形状記憶のためにオリフィス１１４５を閉鎖するのに十分な厚さに戻ることができるようになっている。
【０１３３】
器具１１００の作用は次の通りである。物質Ｐを吹き掛けるため、ユーザは押しボタン１１０３を押し、それにより容器の弁のロッド１１２１を押し下げ、噴射ガスがロッド１１２０の内部の通路内へ放出されるようにする。噴射ガスは、ロッド１１２６ａ，１１２６ｂを経て流れてオリフィス１１２７ａ，１１２７ｂを経て流出し、それにより、ベンチュリ効果により物質供給オリフィス１１３０の前に吸引力を生じさせる。また、押しボタン１１０３を押し下げると、ロッド１１４０を動かしてガスケット１１５０を上述したように圧縮する作用効果も得られる。次に、オリフィス１１４５を少なくとも部分的に開放し、するとキャビティ１１０５内の物質Ｐは、ロッド１１４０の内側の通路を上方に流れて上述した吸引力の作用によりオリフィス１１３０に達することができる。次に、物質は、ユーザが引き続き押しボタン１１０３を押す限り、軸線Ｚｃの方向に沿って吹き掛けられる。押しボタンを離すと、押しボタンは、上昇してその休止位置に戻ることができる。というのは、制御ロッド１１２１が容器１１０１に専用の弾性手段によってその初期位置に戻されるからであり、しかもガスケット１１５０がそれ自体の弾性を有しているからである。ガスケットは、その初期形状に戻ることにより、オリフィス１１４５を閉鎖し、したがって、たとえ器具１１００を水平又は逆さまにした位置で持ち運んでも、物質Ｐはキャビティ１１０５の内部に封じ込められたままであり、物質供給オリフィス１１３０を通って漏れ出る恐れがないようになる。
【０１３４】
例を挙げると、容器１１００を噴射ガスの入っている容器に着脱自在に固定し、物質を使いきったときに容器１１０４を適宜交換できるようにする。また、これにより、容器１１０１を交換することができ、或いは、単一の容器１１０１を用いて互いに異なる物質を連続して吹き掛けることができる。
【０１３５】
図１２〜図１７に対応する実施形態では、物質供給手段は、押しボタン内に形成されたダクトの端部によって構成されるが、物質供給手段が毛管作用により物質を吸収できる材料、例えばウィック、フェルト又は焼結材料から成ることは本発明の範囲から逸脱しない。
【０１３６】
また、フランス国特許出願公開明細書第２，７８１，２０８号に記載されているのと類似した仕方で回転筒体の室のそれぞれの中に設けられた複数の互いに異なる物質の供給手段を用いることが可能であり、かかるフランス国特許出願の開示内容を本明細書の一部を形成するものとしてここに引用する。
【０１３７】
当然のことながら、本発明は、上述の実施形態には限定されず、一般に、上述のシャッタに代えて任意適当なシャッタ手段、例えば互いに対して動くことができ、そしてシャッタを構成する２つの同軸壁１２０１，１２０２から成る図１７に示すようなシャッタ手段を用いてもよい。
【０１３８】
例を挙げると、内側壁１２０２を押しボタンに固定されていて、底端部が閉鎖された中空ロッドによって形成するのがよい。物質は、噴射ガスの放出により吸引力が生じるとこの中空ロッドの内側を上昇することができる。
【０１３９】
外側壁１２０１は静止状態にあり、これは押しボタンが休止位置にあるときに壁１２０２を貫通して設けられたオリフィス１２０３を閉鎖するのに適している。壁１２０２は、押しボタンを押し下げるとオリフィス１１０３と位置が符合するのに適したオリフィス１２０４を有し、それにより、オリフィス１２０３を少なくとも部分的に開放して物質が物質供給手段に到達することができる。
【０１４０】
例えばボールの形をしていて、押しボタンを動かすことにより開かれるのに適した逆止弁も又、図１８に示すように用いることができる。かかる逆止弁は、押しボタンをユーザが離すと、閉鎖位置をとることができる。図示の例では、逆止弁は、ばね１２１１によって閉鎖位置に押圧されるシャッタ形成ボール１２１０を有している。アクチュエータロッド１２１２が、押しボタンを押し下げると、下方に動かされるように配置されている。すると、物質は、ダクト１２１３を経て流れて吸引力を生じているゾーンに到達することができ、それによりこれを吹き掛けることができる。
【０１４１】
変形実施形態では、例えば物質が壁１１４に形成された開口部及びダクト１１１１の底端部に形成された開口部を通って壁１１１４の内部の空間に達するようになっていれば、環状チャネル１１０７を省いてもよい。
【０１４２】
噴射ガスの放出により生じる吸引力が単一のオリフィスを通って得られるようにすることは、本発明の範囲から逸脱しない。
【０１４３】
また、噴射ガスの入っている容器の制御ロッド１１２１により、軸線Ｗに対して傾斜させることにより噴射ガスを小出しすることができる。ただし、押しボタンをそれに応じて設計することを条件とする。
【０１４４】
容器１１０４を、特に長期間の使用が想定されている場合、空気取入れ口を設けないで製作してもよく、或いは空気取入れ口を備えた状態で製作してもよい。
【０１４５】
空気を取り入れることができるようにするために、微少漏れ口１２３０を例えば図１９に示すようにカバー１１１０を貫通して、或いは、図２０に示す例に対応してカバーと容器１１０４の壁１１０５ａとの間に設けるのがよい。かかる微少漏れ口は、特に器具を横にして置いている場合、物質が微少漏れ口を通過するのを阻止するが、空気がこれを通過できるように作られている。
【０１４６】
例を挙げると、図２１に示すように空気取り入れオリフィス１２４１を閉鎖するのに適した弁１２４０を更に設けるのがよい。弁１２４０は、物質の入った容器の内部の圧力が減少した場合に開き、そうでなければオリフィス１２４１を閉鎖する。
【０１４７】
例を挙げると、弁１２４０をカバー１１１０に埋め込み成形するのがよいが、別の方法で形成してもよく、これは本発明の範囲から逸脱しない。
【図面の簡単な説明】
【０１４８】
【図１】本発明の第１の実施形態のスプレー器具の概略斜視図である。
【図２】図１のスプレーヘッドの部分概略平面図である。
【図３】スプレーヘッドの一形態を示す部分断面図である。
【図４】スプレーヘッドの別の形態を示す部分断面図である。
【図５】本発明の第２の実施形態のスプレー器具の部分断面略図である。
【図６】本発明の第３の実施形態のスプレー器具を示す軸方向部分端面略図である。
【図７】図６のスプレー器具の平面図である。
【図８】物質をスプレーしている間の器具を示す図６と類似した図である。
【図９】本発明の第４の実施形態の器具を示す概略軸方向断面図である。
【図１０】３つの位置を持つ弁を示す概略軸方向断面図である。
【図１１】３つの位置を持つ弁を示す概略軸方向断面図である。
【図１２】スプレー器具の別の実施形態を示す図１３のＸＩＩ−ＸＩＩにおける部分概略軸方向矢視断面図である。
【図１３】図１２の矢印ＸＩＩＩに沿って見た概略部分平面図である。
【図１４】図１３のＸＩＶ−ＸＩＶにおける部分断面軸方向断面図である。
【図１５】図１２の器具の部分で概略分解斜視図である。
【図１６】図１２の詳細部ＸＶＩを示す拡大図である。
【図１７】シャッタの他の例を示す略図である。
【図１８】シャッタの他の例を示す略図である。
【図１９】微小漏れ口の一例の略図である。
【図２０】空気取入れ弁の一例の略図である。
【図１】
2006314832.tif 000003
【図２】
2006314832.tif 000004
【図３】
2006314832.tif 000005
【図４】
2006314832.tif 000006
【図５】
2006314832.tif 000007
【図６】
2006314832.tif 000008
【図７】
2006314832.tif 000009
【図８】
2006314832.tif 000010
【図９】
2006314832.tif 000011
【図１０】
2006314832.tif 000012
【図１１】
2006314832.tif 000013
【図１２】
2006314832.tif 000014
【図１３】
2006314832.tif 000015
【図１４】
2006314832.tif 000016
【図１５】
2006314832.tif 000017
【図１６】
2006314832.tif 000018
【図１７】
2006314832.tif 000019
【図１８】
2006314832.tif 000020
【図１９】
2006314832.tif 000021
【図２０】
2006314832.tif 000022
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
角質媒体、特に皮膚に化粧用物質を吹き掛ける一体構造の自蔵式器具（１；１０１；２０１；１１００）であって、器具は、吹き掛けられるべき物質の供給源と、ガス入り容器と、弁とを有し、弁を作動させると物質を吹き掛けることができ、物質は、固体粒子及び少なくとも１種類の分散助剤又はゼリー状化剤を含有していることを特徴とする器具。